(57)【要約】【課題】  ペンデバイスを用いて入力する際に、キーボードと同等の時間で入力でき、且つ文字認識率を向上させた文字入力装置およびその方法を提供する。【解決手段】  座標入力手段により音素を入力する第一の音素入力手段（ペンデバイス１０３と入力枠１０４）と、音声入力手段により音素を入力する第二の音素入力手段（マイクロホン１０２）とを備え、前記第一の音素入力手段により得られた音素と、前記第二の音素入力手段により得られた音素とから文字を認識し、当該文字入力装置に入力する構成としてある。【選択図】    図１
2005071073.tif 000002
【特許請求の範囲】
【請求項１】
座標入力手段により音素を入力する第一の音素入力手段と、
音声入力手段により音素を入力する第二の音素入力手段とを備え、
前記第一の音素入力手段により得られた音素と、前記第二の音素入力手段により得られた音素とから文字を認識し、当該文字入力装置に入力することを特徴とする文字入力装置。
【請求項２】
請求項１記載の文字入力装置において、
前記第一の音素入力手段による音素の入力方法が、音素と一対一に対応する図形を描写することを特徴とする文字入力装置。
【請求項３】
請求項２記載の文字入力装置において、
前記音素と一対一に対応する図形が、一筆書き可能であることを特徴とする文字入力装置。
【請求項４】
請求項１〜請求項３記載の文字入力装置において、
前記第一の音素入力手段により入力する音素が子音であり、前記第二の音素入力手段により入力する音素が母音であることを特徴とする文字入力装置。
【請求項５】
座標入力手段により音素を入力する第一の音素入力手段と、電気信号入力手段により音素を入力する第三の音素入力手段とを備え、
前記第一の音素入力手段により得られた音素と、前記第三の音素入力手段により得られた音素とから文字を認識し、当該文字入力装置に入力することを特徴とする文字入力装置。
【請求項６】
請求項５記載の文字入力装置において、
前記第一の音素入力手段による音素の入力方法が、音素と一対一に対応する図形を描写することを特徴とする文字入力装置。
【請求項７】
請求項６記載の文字入力装置において、
前記音素と一対一に対応する図形が、一筆書き可能であることを特徴とする文字入力装置。
【請求項８】
請求項５〜請求項７記載の文字入力装置において、
前記第一の音素入力手段により入力する音素が子音であり、前記第三の音素入力手段により入力する音素が母音であることを特徴とする文字入力装置。
【請求項９】
筆記により音素を入力し、音により音素を入力し、前記２つの入力から文字認識を行い、認識された文字を文字入力装置に入力することを特徴とする文字入力方法。
【請求項１０】
請求項９記載の文字入力方法において、
前記筆記による音素の入力方法が、音素と一対一に対応する図形を描写することを特徴とする文字入力方法。
【請求項１１】
請求項１０記載の文字入力方法において、
前記音素と一対一に対応する図形が、一筆書き可能であることを特徴とする文字入力方法。
【請求項１２】
請求項９〜請求項１１記載の文字入力方法において、
筆記により入力する音素が子音であり、音により入力する音素が母音であることを特徴とする文字入力方法。
【請求項１３】
筆記により音素を入力し、電気信号により音素を入力し、前記２つの入力から文字認識を行い、認識された文字を文字入力装置に入力することを特徴とする文字入力方法。
【請求項１４】
請求項１３記載の文字入力方法において、
前記筆記による音素の入力方法が、音素と一対一に対応する図形を描写することを特徴とする文字入力方法。
【請求項１５】
請求項１４記載の文字入力方法において、
前記音素と一対一に対応する図形が、一筆書き可能であることを特徴とする文字入力方法。
【請求項１６】
請求項９〜請求項１１記載の文字入力方法において、
前記筆記により入力する音素が子音であり、前記音により入力する音素が母音であることを特徴とする文字入力方法。
【発明の詳細な説明】
【技術分野】
【０００１】
本発明は、文字入力装置およびその方法に関し、特に、ペンデバイスを用いて入力する際に、キーボードと同等の時間で入力でき、且つ文字認識率を向上させた文字入力装置およびその方法に関する。
【背景技術】
【０００２】
ノートＰＣ（ノート型パソコン），ＰＤＡ（Personal  Digital  Assistant）などの情報端末機器が小型化され、持ち運びが非常に楽になってきた。この情報端末機器の小型化に応じて、キーボード等のユーザーインターフェースの小型化が求められている。しかし、キーボードを小型化すると、人間の利便性は悪化し、指のサイズよりも小さいキーの場合には、打鍵するのにかえって時間を要し、誤った文字を打鍵してしまう確率も上がる。
【０００３】
かかる不都合に対処するために、キーボードによる入力以外に、ペンデバイスによる入力が研究されており、主にＰＤＡや、タブレットＰＣなどに用いられている。それに対応して、ペンデバイスでの入力結果を文字認識装置（ＯＣＲ）を用いてテキストデータ化する技術の開発が盛んである（例えば、特許文献１，特許文献２参照）。
【０００４】
また、会議の議事録や、公演などを聴講する場合には、大きな端末では持ち運びが不便なため、小さな端末（ＰＤＡや、ノートＰＣなど）を持参し、発表者の発した発言を記録することが多々ある。
この口述された言葉を文字化する手段として、日本では速記術なるものが存在する。
【０００５】
【特許文献１】登録実用新案第３００７００７号公報
【特許文献２】特開２００２−２６８６８０号公報
【発明の開示】
【発明が解決しようとする課題】
【０００６】
しかしながら、前記ペンデバイスで文字を入力する場合は、打鍵で文字を入力する場合に比較して、非常に時間を要する。また、文字認識装置の認識率は１００％にはほど遠く、そのため誤って文字認識されることも多々起こりうる。
【０００７】
また、前記速記術の場合は、速記の技術を習得するために、多大な時間を要する。
また、デジタル化の進んだ昨今では、会議中に速記術を用いて速記を行い、会議終了後に速記により得られたメモ書きをデジタルデータ化する作業が行われている。この場合は、二度手間となっている。
【０００８】
そこで、本発明が解決しようとする課題は、ペンデバイスを用いて入力する際に、キーボードと同等の時間で入力でき、且つ文字認識率を向上させた文字入力装置およびその方法を提供することである。
また、本発明が解決しようとする別の課題は、速記より習得することが容易で、且つ速記と同等のデータ入力速度を達成し、テキストデータに変換する作業を軽減した文字入力装置およびその方法を提供することである。
【課題を解決するための手段】
【０００９】
前記課題を解決するために本発明の請求項１記載の文字入力装置は、座標入力手段により音素を入力する第一の音素入力手段（図１のペンデバイス１０３と入力枠１０４）と、
音声入力手段により音素を入力する第二の音素入力手段（マイクロホン１０２）とを備え、
前記第一の音素入力手段により得られた音素と、前記第二の音素入力手段により得られた音素とから文字を認識し、当該文字入力装置に入力する構成としてある。
【００１０】
以上の構成を図示すると、例えば図１に示すようになり、処理は図５に示すようになる。図２は、活字体で表した音素―図形対応表の例を示す図、図３は、筆記体で表した音素―図形対応表の例を示す図、図４は、第一の音素入力手段と第二の音素入力手段のそれぞれから得られた音素を合成する際の表である。
【００１１】
以上の場合において、例えば“ほんじつはせいてんなり”とマイクロホン１０２に入力し、音声入力記録装置（図示省略）に“ほんじつはせいてんなり”の母音“おういうあえいえうあい”を記録する（図５のＥ３）。そして、スタートボタン１０５が押された場合（図５のＥ４）、図形入力部分（図５のＦ）と音声入力部分（図５のＧ）を並列に実行させる。
【００１２】
並列実行の際は、まず、入力枠１０４に、図３のＣ１の図形をペンデバイス１０３を用いて入力する（図５のＦ１）。図３のＣ１は子音“は”を表していることが図２により判別できる。
【００１３】
そして、前記音声入力記録装置に保存されている第１番目の母音“お”と組み合わせ、“ほ”が生成される（図５のＦ２）。このとき、図４の文字、音声合成表を用いて生成している。以下、順次“ほんじつはせいてんなり”の生成を行う。
【００１４】
このようにすれば、活字と置き換えて、書き易くかつ認識しやすい図形を入力することで、活字を入力するよりも高速に入力が行えるようにし、また文字認識率を高くすることができる。
【００１５】
また、本発明の請求項２記載の文字入力装置は、請求項１記載の文字入力装置において、
前記第一の音素入力手段（図１のペンデバイス１０３と入力枠１０４）による音素の入力方法が、音素と一対一に対応する図形（図２）を描写する構成としてある。
【００１６】
以上の構成を図示すると、例えば図１，図２に示すようになる。このようにすれば、例えば図２に示すように、音素と図形とが一対一に対応しているので、音素を入力する際に、間違えることが無く、高速に入力を行える。
【００１７】
また、本発明の請求項３記載の文字入力装置は、請求項２記載の文字入力装置において、
前記音素と一対一に対応する図形が、一筆書き可能である構成としてある。
【００１８】
以上の構成を図示すると、例えば図２に示すようになる。このようにすれば、図形の一筆書きが可能なので、音素の入力を高速で行える。
また、筆記体で文字入力した場合は、図３に示すようになる。即ち、Ｃ１，Ｃ２．Ｃ３，…，Ｃ１２と連続して文字入力しても、文字間で切れ目無く入力することができるので、入力を高速で行える。
【００１９】
また、本発明の請求項４記載の文字入力装置は、請求項１〜請求項３記載の文字入力装置において、
前記第一の音素入力手段（図１のペンデバイス１０３と入力枠１０４）により入力する音素が子音であり、前記第二の音素入力手段（マイクロホン１０２）により入力する音素が母音である構成としてある。
【００２０】
このようにすれば、音声認識では母音の認識率が高いので、誤認識を減らすことができる。また、ユーザーは、ペンデバイス１０３による音素入力の習得に要する手間を、軽減することができる。
【００２１】
また、本発明の請求項５記載の文字入力装置は、座標入力手段により音素を入力する第一の音素入力手段（図７のペンデバイス７０３と入力枠７０４）と、電気信号入力手段により音素を入力する第三の音素入力手段（選択ボタン７０２）とを備え、
前記第一の音素入力手段により得られた音素と、前記第三の音素入力手段により得られた音素とから文字を認識し、当該文字入力装置に入力する構成としてある。
【００２２】
以上の構成を図示すると、例えば図７に示すようになり、処理は図８に示すようになる。
この構成，処理において、選択ボタン７０２は母音を選択するボタンであり、通常“あ”に設定されている。選択ボタン７０２を一回押すと“い”を選択し、さらに押すと、“う”、“え”、“お”、“あ”…と変化する。
【００２３】
そして、スタートボタン７０５を押すと、図形入力部分（図８のＪ）と音声入力部分（図８のＫ）が並列に稼動する。入力枠７０４に、ペンデバイス７０３を用いて入力する（図８のＪ１）。この入力は、例えば子音“は”を表しており、子音“は”を表示窓７０６に表示する。
【００２４】
次に、選択ボタン７０２を１回押すと表示窓７０６に表示されていた“は”は“ひ”に変わる。選択ボタン７０２をあと３回押すことにより、表示窓７０６に“ほ”が表示される（図８のＫ１）。“ほ”で正しいかを表示窓７０６で確認し（図８のＫ２）、決定ボタン７０７で決定する。
【００２５】
以後順にペンデバイス７０３で子音入力を行い、選択ボタン７０２および決定ボタン７０７を用いて母音入力をおこなえば、“ほんじつはせいてんなり。”と入力することができる。
従って、音声の発生を要すること無く、文字入力が行える。
【００２６】
また、本発明の請求項６記載の文字入力装置は、請求項５記載の文字入力装置において、
前記第一の音素入力手段（図７のペンデバイス７０３と入力枠７０４）による音素の入力方法が、音素と一対一に対応する図形を描写する構成としてある。
【００２７】
このようにすれば、音素と図形とが一対一に対応しているので、音素を入力する際に、間違えることが無く、高速に入力を行える。
【００２８】
また、本発明の請求項７記載の文字入力装置は、請求項６記載の文字入力装置において、
前記音素と一対一に対応する図形が、一筆書き可能である構成としてある。
【００２９】
このようにすれば、図形の一筆書きが可能なので、音素の入力を高速で行える。
また、筆記体で文字入力した場合は、図３に示すようになる。即ち、Ｃ１，Ｃ２．Ｃ３，…，Ｃ１２と連続して文字入力しても、文字間で切れ目無く入力することができるので、入力を高速で行える。
【００３０】
また、本発明の請求項８記載の文字入力装置は、請求項５〜請求項７記載の文字入力装置において、
前記第一の音素入力手段により入力する音素が子音であり、前記第三の音素入力手段により入力する音素が母音である構成としてある。
【００３１】
このようにすれば、音声認識では母音の認識率が高いので、誤認識を減らすことができ、ユーザーにとって少しでも習得する手間を削減することができる。
【００３２】
また、本発明の請求項９記載の文字入力方法は、筆記により音素を入力し、音により音素を入力し、前記２つの入力から文字認識を行い、認識された文字を文字入力装置に入力する方法としてある。
【００３３】
このようにすれば、活字と置き換えて、書き易くかつ認識しやすい図形を入力することで、活字を入力するよりも高速に入力が行えるようにし、また文字認識率を高くすることができる。
【００３４】
また、本発明の請求項１０記載の文字入力方法は、請求項９記載の文字入力方法において、
前記筆記による音素の入力方法が、音素と一対一に対応する図形を描写する方法としてある。
【００３５】
このようにすれば、音素と図形とが一対一に対応しているので、音素を入力する際に、間違えることが無く、高速に入力を行える。
【００３６】
また、本発明の請求項１１記載の文字入力方法は、請求項１０記載の文字入力方法において、
前記音素と一対一に対応する図形が、一筆書き可能である方法としてある。
【００３７】
このようにすれば、図形の一筆書きが可能なので、音素の入力を高速で行える。また、筆記体で文字入力した場合は、図３に示すようになる。即ち、Ｃ１，Ｃ２．Ｃ３，…，Ｃ１２と連続して文字入力しても、文字間で切れ目無く入力することができるので、入力を高速で行える。
【００３８】
また、本発明の請求項１２記載の文字入力方法は、請求項９〜請求項１１記載の文字入力方法において、
筆記により入力する音素が子音であり、音により入力する音素が母音である方法としてある。
【００３９】
このようにすれば、音声認識では母音の認識率が高いので、誤認識を減らすことができる。また、ユーザーは、ペンデバイス１０３による音素入力の習得に要する手間を、軽減することができる。
【００４０】
また、本発明の請求項１３記載の文字入力方法は、筆記により音素を入力し、電気信号により音素を入力し、前記２つの入力から文字認識を行い、認識された文字を文字入力装置に入力する方法としてある。
このようにすれば、音声を発する必要なく入力が行える。
【００４１】
また、本発明の請求項１４記載の文字入力方法は、請求項１３記載の文字入力方法において、
前記筆記による音素の入力方法が、音素と一対一に対応する図形を描写する方法としてある。
【００４２】
このようにすれば、音素と図形とが一対一に対応しているので、音素を入力する際に、間違えることが無く、高速に入力を行える。
【００４３】
また、本発明の請求項１５記載の文字入力方法は、請求項１４記載の文字入力方法において、
前記音素と一対一に対応する図形が、一筆書き可能である方法としてある。
【００４４】
このようにすれば、図形の一筆書きが可能なので、音素の入力を高速で行える。
また、筆記体で文字入力した場合は、図３に示すようになる。即ち、Ｃ１，Ｃ２．Ｃ３，…，Ｃ１２と連続して文字入力しても、文字間で切れ目無く入力することができるので、入力を高速で行える。
【００４５】
また、本発明の請求項１６記載の文字入力方法は、請求項９〜請求項１１記載の文字入力方法において、
前記筆記により入力する音素が子音であり、前記音により入力する音素が母音である方法としてある。
【００４６】
このようにすれば、音声認識では母音の認識率が高いので、誤認識を減らすことができる。また、ユーザーは、ペンデバイス１０３による音素入力の習得に要する手間を、軽減することができる。
【発明の効果】
【００４７】
本発明によれば、以下の効果を発揮することができる。
請求項１，請求項２，請求項９，請求項１０記載の発明によれば、他のユーザーインターフェースと比較して同程度以上の速度で文字入力することができる。
請求項３，請求項１１記載の発明によれば、請求項１，請求項２，請求項９，請求項１０記載の発明より、更に高速に文字入力ができる。
【００４８】
請求項４，請求項１２記載の発明によれば、ユーザーの使い勝手を向上させると共に、音声認識の誤り率を軽減できる。また、エッジの抽出度合ごとに、集合分けができる。
請求項５，請求項６，請求項７，請求項８記載の発明によれば、請求項１〜請求項４記載の発明に比較し、音声を発しないでも、文字入力を行うことができる。
【００４９】
請求項１３，請求項１４，請求項１５，請求項１６記載の発明によれば、請求項９〜請求項１２記載の発明に比較し、音声を発しないでも、文字入力を行うことができる。
【発明を実施するための最良の形態】
【００５０】
活字の代わりに、書き易くかつ認識しやすい図形を入力することで、活字を入力するよりも高速に入力が行えるようにし、また文字認識率を高くすることを実現した。
【実施例１】
【００５１】
本発明の請求項２，３，４および６，７，８に係る一例である、第１の音素入力手段（座標入力手段）により、音素と対応する図形を構築する例を示す。本実施例では言語は日本語を用い、音素は子音と対応させることとする（請求項４，８）。図２は活字体で表した音素―図形対応表の例である。
【００５２】
図２に示した子音―図形対応表の作り方を述べる。まず、図形化する子音の数を決定し、図形を定める。本実施例では、図２に示すように、“あかさたなはまやらわがざだばぱきゃしゃちゃにゃひゃみゃりゃ”の２２個の子音から成るものとした。
【００５３】
図２では、拗音（や行）の使用頻度が、拗音（あ行）に比べて多いことから、拗音（や行）に対しては別々の図形を与え、拗音（あ行）には図形を与えていない。子音の数は、使用頻度や音声認識の技術、図形（文字）認識の技術との兼ね合いで決定するのが望ましい。
【００５４】
また、図２には例として、促音,句点，読点も掲載している。促音,句点，読点は音がないため、音声認識から区別するには高度な日本語解析技術が必要であるので、独立に記号を与えている。その他の文字（―（長音）、数字、アルファベットなど）に関しては、図形を割り当ててもよいが、本実施例では通常の文字認識を利用して文字のまま読み込むものとする。
【００５５】
図形は、短時間で書くことのできる形とし、図形認識で読み取るときに、他の子音と類似しないように定める。本実施例ではすべての図形が１ストロークで書け（一筆書き）（請求項３，７）、他の図形と誤認識しにくい図形を選んだ。
【００５６】
次に、図形を子音と対応させる。そのときに使用頻度が高い子音に、定められた図形の中でも特に短時間で書ける図形を対応させると、トータルでのストローク量が最小となる。
【００５７】
また、日本語解析などを用いて、前述の文字との関連度合を調べ、利用するのも良い。例えば、“きょう”という単語の出現頻度が、非常に高いと仮定する。すると、子音“きゃ”の次には子音“あ”の出現する確率が高いことが導かれるので、子音“きゃ”と子音“あ”は連続して書くときに書き易い図形にする。
【００５８】
他に、図形を覚える苦労を少なくするために、既存の文字と類似（例えば、子音“あ”であれば、“あ”に類似した図形や、“A”に類似した図形）にすることも考えられる。
【００５９】
次に、図６と対応させながら図２の音素―図形対応表を説明する。“あ”は、図６の入力マスにおいて、線分Ｌ１と線分Ｌ２の中間を通り、直線で線分Ｌ７を横切る図形である。
同様に“ぱ”は図６の入力マスにおいて、線分Ｌ１と線分Ｌ２の中間を通り、線分Ｌ５と線分Ｌ４を横切り、最後に線分Ｌ８を横切る図形である。他の子音も同様に定義される。
【００６０】
次に、連続して子音を入力する場合の「筆記体」について述べる。図３は筆記体の例であり、図３のＣ２は子音“わ”の筆記体である。活字体と筆記体の違いは、活字体は起点が常に線分Ｌ１と線分Ｌ２の中間であるのに対し、筆記体は起点を線分Ｌ１と線分Ｌ２の任意の個所に選んでよいという点である。筆記体の導入により、ペン入力がよりスムーズに行われることになる。
【実施例２】
【００６１】
実施例１を利用して、本発明の請求項１，２，３に係る実施例２を示す。実施例２で使用する文字入力装置の全体構成図を図１に、また、全体のフローチャートを図５に示す。
【００６２】
図１において、１０１はＰＤＡ,ノート型パーソナルコンピュータを代表とする情報端末であり、１０２はマイクロホン、１０３は図形入力に用いるペンデバイス、１０４は情報端末１０１に存在する、ペンデバイス１０３により入力を行うことが可能な領域を示す入力枠、１０５はスタートボタンである。
入力枠１０４は、図６に示した入力マスが３個、横に並んだ状態である。
【００６３】
また、表示窓１０６は結果が表示される窓である。無論、ペンデバイス１０３は、タッチパネルのように指を代わりに使用しても良いし、マイクロホン１０２は無線マイクロホンでも良い。
【００６４】
それでは、図５のフローチャートを用いて、文章“ほんじつはせいてんなり。”を入力する場合を説明する。
はじめに、スタートＥ１を行う。スタートとは、文字入力専用端末であれば、電源スイッチを押した場合に対応し、図１のように情報端末１０１に組み込まれているソフトウェアとして扱う場合であれば、ソフトウェアが起動するスイッチ（スタートボタン１０５）を表している。
【００６５】
“ほんじつはせいてんなり”とマイクロホン１０２に入力する（図５のＥ２）。すると、音声入力記録装置（図示省略）により、“ほんじつはせいてんなり”の母音“おういうあえいえうあい”が記録される（図５のＥ３）。ここで一定時間内にスタートボタン１０５が押されない場合（図５のＥ４：ＮＯ）、記録された“おういうあえいえうあい”は破棄される（図５のＥ５）。
【００６６】
一定時間内にスタートボタン１０５が押された場合（図５のＥ４：ＹＥＳ）、図形入力部分（図５のＦ）と音声入力部分（図５のＧ）が並列に稼動する。
まず、入力枠１０４に、図３のＣ１の図形をペンデバイス１０３を用いて入力する（図５のＦ１）。図３のＣ１は子音“は”を表していることが図２により判別できる。
【００６７】
このとき、前記音声入力記録装置に保存されている第１番目の母音“お”と組み合わせ、“ほ”が生成される（図５のＦ２）。このとき、図４の文字、音声合成表を用いて生成している。図４では、２重枠で囲われた部分が音声入力で識別される母音を表しており、点線枠で囲われた部分が図形入力で識別される子音を表している。
得られた“ほ”を表示窓１０６に表示する。ストップボタンが押されていなければ、図５のＦ１に戻る（図５のＦ３：ＮＯ）。
【００６８】
次に、図３のＣ２を入力枠１０４にペンデバイス１０３を用いて入力する（図５のＦ１）。図３のＣ２は子音“わ”を表していることが図２より判別できる。このとき、前記音声入力記録装置に保存されている第２番目の母音“う”と組み合わせ、“ん”が生成される（図５のＦ２）。得られた“ん”を表示窓１０６に表示する。同様にして図３のＣ３からＣ１１までを入力枠１０４に書き込むことにより、表示窓１０６に“ほんじつはせいてんなり”と表示される。
【００６９】
最後に句読点を打つ場合を説明する。図３のＣ１２のように読点を入力枠１０４に入力する（図５のＦ１）。図２とＣ１２を比較すると読点であると判別できる。読点は子音ではないので、前記音声入力記録装置と照合することなく、“。”を表示窓１０６に表示する。
【実施例３】
【００７０】
実施例１を利用して、本発明の請求項５，６，７，８に係る実施例３を示す。実施例３に係る全体図を図７に示し、全体のフローチャートを図８に示す。
【００７１】
図７において、７０１はＰＤＡ，ノート型パーソナルコンピュータを代表とする情報端末であり、７０２は選択ボタン、７０７は決定ボタン、７０３は図形入力に用いるペンデバイス、７０４は情報端末７０１に存在する、ペンデバイス７０３により入力を行うことが可能な領域を示す入力枠、７０５はスタートボタンである。
また、表示窓７０６は結果が表示される窓である。選択ボタン７０２と決定ボタン７０７をジョグダイヤルなどで代替することもできる。
【００７２】
選択ボタン７０２は母音を選択するボタンであり、通常“あ”に設定されている。選択ボタン７０２を一回押すと“い”を選択し、さらに押すと、“う”、“え”、“お”、“あ”…と変化する。選択ボタン７０２で選択した母音を決定するために決定ボタン７０７を用いる。また選択ボタン７０２、決定ボタン７０７は情報端末７０１上にアイコンで表す事もできる。
【００７３】
それでは、図８のフローチャートを用いて、文章“ほんじつはせいてんなり。”を入力する場合を説明する。はじめに、スタートＨ１を行う。スタートとは、文字入力専用端末であれば、電源スイッチを押した場合に対応し、図７のように情報端末７０１に組み込まれているソフトウェアとして扱う場合であれば、ソフトウェアが起動するスイッチを表している。
【００７４】
まず、スタートボタン７０５を押す。すると、図形入力部分（図８のＪ）と音声入力部分（図８のＫ）が並列に稼動する。まず、入力枠７０４に、図３のＣ１の図形をペンデバイス７０３を用いて入力する（図８のＪ１）。図３のＣ１は子音“は”を表していることが図２により判別でき、子音“は”を表示窓７０６に表示する。
【００７５】
次に、選択ボタン７０２を１回押すと表示窓７０６に表示されていた“は”は“ひ”に変わる。選択ボタン７０２をあと３回押すことにより、表示窓７０６に“ほ”が表示される（図８のＫ１）。“ほ”で正しいかを表示窓７０６で確認し（図８のＫ２）、決定ボタン７０７で決定する。
【００７６】
母音と子音の入力順序は問わないが、母音を先に入力した方が作業効率が良い。それは、図４の“や行”のように母音が３種類しかない個所が存在するからである。
【００７７】
本実施例では、選択ボタン７０２は通常母音“あ”に設定されているとしたが、母音の出現頻度を計算して、他の母音に設定してもよいし、前の母音や、子音の情報を得て、表示される文字が変動するように設定することも可能である。
【００７８】
以後順に図３のようにペンデバイス７０３で子音入力を行い、選択ボタン７０２および決定ボタン７０７を用いて母音入力をおこなえば、“ほんじつはせいてんなり。”と入力することができる。勿論、実施例２と同様に、母音（子音）を一度に連続して複数文字記録しておき、その後子音（母音）を連続して複数文字記録しておくこともできる。
【００７９】
本発明は文字入力技術であり、例えばＰＤＡ，タブレットパソコン等の情報端末機器に利用することができる。
【図面の簡単な説明】
【００８０】
【図１】本発明の実施例２で使用する文字入力装置の全体構成図である。（実施例２）
【図２】活字体で表した音素―図形対応表の例を示す図である。（実施例１）
【図３】筆記体で表した音素―図形対応表の例を示す図である。（実施例１）
【図４】文字、音声合成表であって、２重枠で囲われた部分が音声入力で識別される母音を表し、点線枠で囲われた部分が図形入力で識別される子音を表している。（実施例２）
【図５】本発明の実施例２のフローチャートである。（実施例２）
【図６】図２に示した音素―図形対応表を作成する場合に使用する入力マスを示す図である。（実施例１）
【図７】本発明の実施例３で使用する文字入力装置の全体構成図である。（実施例３）
【図８】本発明の実施例３のフローチャートである。（実施例３）
【符号の説明】
【００８１】
１０１  情報端末
１０２  マイクロホン
１０３  ペンデバイス
１０４  入力枠
１０５  スタートボタン
１０６  表示窓
７０１  情報端末
７０２  選択ボタン
７０３  ペンデバイス
７０４  入力枠
７０５  スタートボタン
７０６  表示窓
７０７  決定ボタン
【図１】
2005071073.tif 000003
【図２】
2005071073.tif 000004
【図３】
2005071073.tif 000005
【図４】
2005071073.tif 000006
【図５】
2005071073.tif 000007
【図６】
2005071073.tif 000008
【図７】
2005071073.tif 000009
【図８】
2005071073.tif 000010